(57)【要約】【課題】配線用開口部を有する天板と、天板下面の縁部を支持する複数の端部脚を備えたテーブルにおいて、天板の横揺れを抑制する。【解決手段】テーブルは、配線用開口部６を有する天板１と、天板下面１ａの縁部を支持する複数の端部脚２を備えている。当該テーブルには、平面視で配線用開口部６と重なる位置に、天板下面１ａの配線用開口部６の周囲部を支持する中空状の中間脚３１が設けられている。【選択図】図１
2020014586.tif 000002
【特許請求の範囲】
【請求項１】
配線用開口部を有する天板と、天板下面の縁部を支持する複数の端部脚を備えたテーブルであって、
平面視で前記配線用開口部と重なる位置に、前記天板下面の前記配線用開口部の周囲部を支持する中空状の中間脚が設けられている、テーブル。
【請求項２】
前記天板下面の前記配線用開口部の周囲部に設けられたネジ穴に下方から捩じ込まれる雄ネジ部材によって前記配線用開口部の下方に配線受け部材を取付可能な構成であって、
前記中間脚は、前記ネジ穴を使用して前記天板下面に固定される、請求項１に記載のテーブル。
【請求項３】
前記中間脚は、配線器具を載置可能な配線受け部を内部に備えている、請求項１又は２に記載のテーブル。
【請求項４】
前記配線受け部材が前記中間脚の内部に配置されており、
前記中間脚と前記配線受け部材が前記雄ネジ部材によって共締めされている、請求項２に記載のテーブル。
【請求項５】
前記天板は、複数の前記配線用開口部を備えており、
複数の前記配線用開口部ごとに前記中間脚が設けられており、
隣り合う前記中間脚の側面部同士は幕板部材で連結されている、請求項１から４のいずれか一項に記載のテーブル。
【発明の詳細な説明】
【技術分野】
【０００１】
本願発明は、テーブルに関し、特に、配線用開口部を有する天板と、天板下面の縁部を支持する複数の端部脚を備えたテーブルに関するものである。
【背景技術】
【０００２】
従来から、グループテーブルやミーティングテーブルなどと称される棒脚タイプのテーブルが商談や会議などで多用されている。この種のテーブルは、天板の縁部（例えば天板の四隅部）を棒状の端部脚で支持している。また、人が相対向して使用するテーブルであることから、天板の中間部に配線用開口部を設けて、配線用開口部の下方に配線や電源タップ等を載置可能な配線受け部材を配置していることも多い（例えば特許文献１を参照）。
【０００３】
また、この種のテーブルでは、天板を棒状の端部脚のみで支持していることから、天板の支持強度が不足し、テーブルの使用時に天板の横揺れが発生することがある。このような不具合を解消すべく、天板の四隅部に配置された棒状端部脚を互いに補強材で連結させて、天板の支持強度を向上させているテーブルが開示されている（例えば特許文献２を参照）。
【先行技術文献】
【特許文献】
【０００４】
【特許文献１】特開２００２−２５３３５１号公報
【特許文献２】実公昭５１−０３８４８３号公報
【発明の概要】
【発明が解決しようとする課題】
【０００５】
しかしながら、特許文献２に開示されたテーブルのように端部脚同士を補強材で連結した場合、椅子やキャスター付きワゴンを天板の下方へ出し入れする際に補強材が妨げになり、使い勝手が悪くなるという問題があった。また、テーブルの使用者の足下に補強材が配置されるため、テーブル上での作業を行う際に、補強材が邪魔となり、作業しづらくなってしまうという問題があった。
【０００６】
本願発明は、このような現状を改善すべく成されたものである。
【課題を解決するための手段】
【０００７】
本願発明のテーブルは、配線用開口部を有する天板と、天板下面の縁部を支持する複数の端部脚を備えたテーブルであって、平面視で前記配線用開口部と重なる位置に、前記天板下面における前記配線用開口部の周囲部を支持する中空状の中間脚が設けられているものである。
【０００８】
本願発明のテーブルによれば、天板下面の配線用開口部の周囲部を支持する中間脚が設けられているので、端部脚に加えて中間脚で天板を支持することで、天板の支持強度を向上でき、天板の横揺れを抑制できる。さらに、中間脚は、中空状であって、配線用開口部と重なる位置に設けられているので、床面から立ち上げるＬＡＮケーブル等の通信ケーブルや電源ケーブルなどの各種ケーブルを露出させずに、中間脚内部を通して配線用開口部直下へ最短距離で配線できる。これにより、ケーブルの配線長さを短くできるとともに、ケーブルの露出に起因する外観の悪化やケーブルの損傷を防止できる。
【０００９】
本願発明のテーブルにおいて、前記天板下面の前記配線用開口部の周囲部に設けられたネジ穴に下方から捩じ込まれる雄ネジ部材によって前記配線用開口部の下方に配線受け部材を取付可能な構成であって、前記中間脚は、前記ネジ穴を使用して前記天板下面に固定されるようにしてもよい。
【００１０】
このような態様によれば、一般に配線用開口部の下方に配置される配線受け部材を天板下面に固定するためのネジ穴を用いて、天板下面に専用のネジ穴を形成することなく、中間脚を天板下面に固定できる。これにより、既存のテーブルの設置場所において、天板を加工することなく、スムーズかつ迅速に、天板に中間脚を取り付けて天板の揺れ対策を実現できる。また、既存のテーブルに対して、設計変更やネジ穴の追加に伴う製造コストの上昇を招くことなく、中間脚を取り付けることができる。
【００１１】
また、このような態様において、前記配線受け部材が前記中間脚の内部に配置されており、前記中間脚と前記配線受け部材が前記雄ネジ部材によって共締めされているようにしてもよい。
【００１２】
このような態様によれば、中間脚が配線用開口部の周囲部を支持する構成でありながら、配線用開口部の下方に配置される配線受け部材に、電源タップや通信ケーブル等の配線器具を載置できる。したがって、中間脚に、配線器具が載置される配線受け機能を設ける必要がないので、中間脚の構成を簡素化でき、中間脚の製造コストを低減できる。また、配線受け部材を取り付けた既存のテーブルに中間脚を取り付ける場合には、その配線受け部材を中間脚とともに天板に取り付けるので、配線受け部材の保管場所を確保する必要がない。
【００１３】
また、本願発明のテーブルにおいて、前記中間脚は、配線器具を載置可能な配線受け部を内部に備えているようにしてもよい。
【００１４】
このような態様によれば、中間脚に、配線用開口部の周囲部を支持する機能と、配線器具を載置可能な配線受け機能とを持たせることで、一般に配線用開口部の下方に配置される配線受け部材を別途設ける必要がなくなるので、部品点数を少なくできる。なお、配線受け部材が取り付けられている既存のテーブルに中間脚を追加で取り付ける場合には、取り外した配線受け部材を中間脚の内部（例えば配線受け部の下方の空き空間）に保管しておくことで、配線受け部材の紛失を防止できる。
【００１５】
また、本願発明のテーブルにおいて、前記天板は、複数の前記配線用開口部を備えており、複数の前記配線用開口部ごとに前記中間脚が設けられており、隣り合う前記中間脚の側面部同士は幕板部材で連結されているようにしてもよい。
【００１６】
このような態様によれば、複数の配線用開口部を有する大型の天板を備えたテーブルに対して、複数の中間脚によって複数個所で天板下面を支持することで、天板の横揺れを抑制できる。さらに、隣り合う中間脚同士を幕板部材で連結することで、中間脚による天板の支持構造を強固にでき、天板の横揺れをより確実に抑制できる。
【発明の効果】
【００１７】
本願発明のテーブルは、配線用開口部を有する天板と天板下面の縁部を支持する複数の端部脚とを備えたテーブルにおいて、天板の横揺れを抑制できる。
【図面の簡単な説明】
【００１８】
【図１】第１実施形態に係るテーブルを示しており、（Ａ）は全体の斜視図、（Ｂ）は分離斜視図である。
【図２】同実施形態を示す図であり、（Ａ）は正面図、（Ｂ）は側面図である。
【図３】天板を仮想線で表示して同実施形態を示す平面図である。
【図４】図３のＡ−Ａ位置に沿った断面図である。
【図５】中間脚と天板下面との連結構造を説明するための斜視図である。
【図６】中間脚と幕板部材との連結構造を説明するための斜視図である。
【図７】配線受け部材と天板下面との連結構造を説明するための斜視図である。
【図８】第２実施形態を示す図であり、（Ａ）は正面図、（Ｂ）は側面図である。
【図９】天板を仮想線で表示して同実施形態を示す平面図である。
【図１０】中間脚及び配線受け部材と天板下面との連結構造を説明するための斜視図である。
【図１１】第３実施形態を示す図であり、（Ａ）は全体の斜視図、（Ｂ）は分離斜視図である。
【図１２】同実施形態を示す図であり、（Ａ）は側面図、（Ｂ）は天板を仮想線で表示する平面図である。
【発明を実施するための形態】
【００１９】
本願発明の第１実施形態について図面に基づいて説明する。図１及び図２に示すように、本実施形態におけるテーブルは、長方形の天板１を有している。各方向を特定するため、前後・左右の文言を使用するが、図１に示すように、テーブルにおける天板１の長手方向（幅方向）を左右方向とし、これと直交した方向（奥行き方向）を前後方向と定義している。
【００２０】
本実施形態におけるテーブルは、上述のように長方形の仕様であり、平面視長方形の天板１と、天板１を支える４本の端部脚２及び２本の中間脚３１とを有している。床面Ｆに立設される棒状の端部脚２は、天板１の縁部に位置しており、端部脚２の上端が天板下面１ａと連結することで、天板１を支持している。本実施形態では、４本の端部脚２は、天板１のコーナー部（四隅部）に位置している。
【００２１】
天板１の左右方向に延びる中心線に沿った部位の左右２か所には、平面視略四角形（略正方形）の配線用開口部６が設けられている。各配線用開口部６には、開閉可能な蓋体７が天板１の下方から取り付けられている。
【００２２】
２本の中間脚３１は、左右の配線用開口部６と平面視で重なる位置に設けられている。中間脚３１は、上下方向に延びる四角筒状の形態を有し、内部が中空状に形成されている。床面Ｆに立設される各中間脚３１は、その上端部が天板下面１ａにおける配線用開口部６の周囲部に連結されており、天板下面１ａの配線用開口部６の周囲部を支持している。また、左右の中間脚３１は、左右方向に延びる前後２枚の幕板部材４５で連結されている。幕板部材４５の上端部は天板下面１ａに連結されている。
【００２３】
天板１の下面には、短辺の近くに配置された前後長手の左右一対のエンドフレーム３と、左右のエンドフレーム３の間に配置された左右長手の前後一対の補強桟４とがボルトで固定されている。エンドフレーム３と補強桟４とは、溶接によって固定されていてもよいし、ボルトで固定されてもてもよい。なお、天板１は、例えば木製のものを使用しているが、スチール製のものを使用したり、紙製等の軽量コア部材の上下両面に金属板（スチール板）を接着した積層品を使用したりすることも可能である。
【００２４】
本実施形態のテーブルは、天板１を、天板下面１ａの縁部を支持する端部脚２に加えて、天板下面１ａの配線用開口部６の周囲部に連結された中間脚３１で支持しているので、天板１の支持強度を向上でき、天板１の横揺れを抑制できる。さらに、中間脚３１は、中空状であって、配線用開口部６と重なる位置に設けられているので、床面Ｆから立ち上げるＬＡＮケーブルや電源ケーブルなどの各種ケーブルを露出させずに、中間脚３１の内部を通して配線用開口部６の直下へ最短距離で配線できる。これにより、ケーブルの配線長さを短くできるとともに、ケーブルの露出に起因する外観の悪化やケーブルの損傷を防止できる。
【００２５】
図１〜図３に示すように、端部脚２は、天板下面１ａに固定される脚ブラケット８と、脚ブラケット８に取り付けた脚支柱９と、脚支柱９の下端に取り付けた捩じ込み式のアジャスタ２５とで構成されている。
【００２６】
脚ブラケット８は、例えばアルミニウムを材料にしたダイキャスト品である（樹脂の成形品でもよい）。脚ブラケット８の一端側に、角管状の脚支柱９が連結されている。脚ブラケット８の他端側は、角管状のエンドフレーム３の端部に連結されている。脚ブラケット８は、上下に開口する４つのボルト挿通穴を備え、これらのボルト挿通穴に下方から挿通される４本のボルトで天板下面１ａに固定される。これに伴って、天板下面１ａの各コーナー部には、４つずつのネジ穴（鬼目ナット）が設けられている。
【００２７】
図１〜図５に示すように、中間脚３１は、上下方向に延びる四角筒状の形態を有し、断面形状が略Ｃ字形の中間脚本体３２と、中間脚本体３２に着脱可能に取り付けられる中間脚カバー３３を備えている。中間脚本体３２は、板金製であり、前後方向に沿って配置される第１側面部３４と、第１側面部３４の前後両端部から第１側面部３４に対して直角に延びる前後一対の第２側面部３５とを備えている。
【００２８】
第１側面部３４の上端には、前後一対の第１ボルト挿通穴３６ａを有する第１外向きフランジ部３６が設けられている。また、第１側面部３４の上端寄り部位には、電源タップやＬＡＮケーブル、電源ケーブル等の配線器具を挿通可能なケーブル挿通穴３４ａが設けられている。
【００２９】
各第２側面部３５の上端には、左右一対の第２ボルト挿通穴３７ａを有する第２外向きフランジ部３７が設けられている。また、各第２側面部３５の第１側面部３４とは反対側の端部は内向きに折り返されており、その折り返し部分に前後内向きに突設された上下一対のカバー係合突起３８が設けられている。すなわち、中間脚３１には、４つのカバー係合突起３８が設けられている。
【００３０】
他方、板金製の中間脚カバー３３には、カバー係合突起３８に対応する４つのカバー係合溝３３ａが設けられており、中間脚カバー３３は、各カバー係合溝３３ａを対応するカバー係合突起３８に係合することで、第１側面部３４に対向するようにして中間脚本体３２に着脱可能に取り付けられる。
【００３１】
中間脚３１の内部に、電源タップや各種ケーブルなどの配線器具を載置可能な配線受け部を構成する配線受け棚３９が設けられている。配線受け棚３９は、中間脚３１の内部空間の上寄り位置に配置されるとともに、ケーブル挿通穴３４ａよりも下方に配置されている。
【００３２】
図４に示すように、中間脚本体３２に中間脚カバー３３が取り付けられた状態で、中間脚カバー３３と配線受け棚３９との間には、ケーブルを挿通可能な隙間が形成されており、床面Ｆから立ち上げられたケーブル５２は、当該隙間を介して配線受け棚３９の上方へ導かれる。例えばケーブル５２が電源ケーブルである場合、ケーブル５２の先端部に接続された電源タップ５３は、配線受け棚３９の上に載置される。
【００３３】
また、中間脚３１の下端部には、中間脚３１の高さ位置を調節可能な中間脚アジャスタ４０が設けられている。本実施形態では、４つの中間脚アジャスタ４０が設けられている。各中間脚アジャスタ４０は、中間脚３１の下端の四隅部に配置されており、前後方向に延びて前後の第２側面部３５の下端部同士を連結する左右一対の横桟部材４１に取り付けられている。
【００３４】
図３〜図５に示すように、左右の中間脚３１は、平面視で左右の配線用開口部６と重なるように配置されており、中空状の中間脚３１の内部空間は、配線用開口部６と上下方向に繋がっている。そして、配線用開口部６の下方には、中間脚３１の配線受け棚３９が配置される。本実施形態では、左右の中間脚３１は、互いに第１側面部３４同士が対向するように配置されており、中間脚カバー３３は中間脚３１の左右外側面に配置されている。
【００３５】
図５に示すように、天板下面１ａの配線用開口部６の周囲部には、中間脚３１の第２外向きフランジ部３７の第２ボルト挿通穴３７ａに下方から挿通される固定用ボルト６１が捩じ込まれるネジ穴６２が設けられている。固定用ボルト６１は、本願発明における雄ネジ部材の一例である。本実施形態では、天板下面１ａには、中間脚３１の４つの第２ボルト挿通穴３７ａの位置に対応して、配線用開口部６の四隅部の近傍に、ネジ穴６２を構成する鬼目ナットが埋め込まれている。
【００３６】
中間脚３１は、第２外向きフランジ部３７の第２ボルト挿通穴３７ａに下方から挿通される固定用ボルト６１がネジ穴６２に捩じ込まれることで、天板下面１ａの配線用開口部６の周囲部に強固に固定される。なお、図５では、配線用開口部６に下方から取り付けられる蓋体７（図１参照）の図示は省略されている。また、中間脚３１は、前後２枚の幕板部材４５が天板下面１ａの中央部に取り付けられた後で、天板下面１ａに取り付けられる。
【００３７】
図１〜図３及び図６に示すように、左右の中間脚３１の間には、左右方向に延びる前後２枚の幕板部材４５が配置されている。幕板部材４５は、板金製であり、左右方向に沿って配置される左右横長の幕板主面部４６と、幕板主面部４６の上端に設けられた内向きフランジ部４７と、幕板主面部４６の左右端部に設けられた内向き連結面部４８とを備えている。左右横長の内向きフランジ部４７の左右端部寄り部位には、ボルト挿通穴４７ａがそれぞれ形成されている。上下方向に延びる内向き連結面部４８の内側には、上下方向に並ぶ３つの連結用ナット４９が固着されている。内向き連結面部４８には、連結用ナット４９の固着位置にボルト挿通穴が形成されている。
【００３８】
図６に示すように、前後の幕板部材４５は、ボルト挿通穴４７ａの位置に対応して天板下面１ａに設けられたネジ穴（図示省略）に下方から捩じ込まれる幕板用ボルト５０によって、左右の中間脚３１の間の位置で天板下面１ａに固定される。前後の幕板部材４５は、平面視で中間脚３１のケーブル挿通穴３４ａを挟むようにして、前後方向に間隔を空けて配置される。
【００３９】
また、中間脚３１の第１側面部３４には、幕板部材４５の連結用ナット４９の位置に対応して連結用ボルト挿通穴３４ｂが設けられている。第１側面部３４には、前後の幕板部材４５の合計６個の連結用ナット４９に対応して、第１側面部３４の前後の縁部に３つずつ、合計６つの連結用ボルト挿通穴３４ｂが設けられている。
【００４０】
４本の幕板用ボルト５０によって前後の幕板部材４５を天板下面１ａに取り付けた後、８本の固定用ボルト６１によって左右の中間脚３１を天板下面１ａに取り付ける。その後、中間脚カバー３３を取り外した状態で、中間脚３１の第１側面部３４の連結用ボルト挿通穴３４ｂに左右外側から挿通する連結用ボルト５１を幕板部材４５の連結用ナット４９に捩じ込んで、１２本の連結用ボルト５１によって中間脚３１と幕板部材４５とを連結する。
【００４１】
本実施形態では、天板１は中央部の左右２箇所に配線用開口部６を備えており、配線用開口部６ごとに中間脚３１が設けられている。そして、隣り合う中間脚３１の第１側面部３４同士は幕板部材４５で連結されている。このように、複数の配線用開口部６を有する大型の天板１を備えたテーブルに対して、複数の中間脚３１によって複数個所で天板下面１ａを支持することで、天板１の横揺れを抑制できる。さらに、隣り合う中間脚３１同士を幕板部材４５で連結することで、中間脚３１による天板１の支持構造を強固にでき、天板１の横揺れをより確実に抑制できる。
【００４２】
また、左右の中間脚３１は、互いに対向する第１側面部３４にケーブル挿通穴３４ａをそれぞれ備えている。これにより、一方の中間脚３１の内部からケーブル挿通穴３４ａを介して天板１下方に引き出したケーブルを、他方の中間脚３１の内部へケーブル挿通穴３４ａを介して導くことが可能になっている。
【００４３】
例えば、図４に示すように、床面Ｆから引き出したケーブル５２を一方の中間脚３１内部を通して立ち上げ、ケーブル５２の先端部の電源タップ５３に差し込んだ電源ケーブル５４を、一方の中間脚３１内部からケーブル挿通穴３４ａを介して他方の中間脚３１へ向けて引き出せる。そして、電源ケーブル５４の他端に接続された電源タップ（図示省略）を他方の中間脚３１のケーブル挿通穴３４ａを介して他方の中間脚３１内部に挿入して配線受け棚３９上に載置することで、左右の配線用開口部６のそれぞれの下方に電源タップを配置できる。
【００４４】
また、一方の中間脚３１から他方の中間脚３１へ向かうケーブルは、前後の幕板部材４５の間の空間に配線されるので、テーブルの使用時に当該ケーブルは露出しない。これにより、ケーブルの露出による見栄えの悪化が防止されるとともに、ケーブルへの異物の接触によるケーブルの損傷が防止される。なお、前後の幕板部材４５の間に、ケーブルの垂れ下がりを防止又は抑制する配線受け部材を設けてもよい。当該配線受け部材は、天板下面１ａ、幕板部材４５又は中間脚３１のいずれに固定されてもよい。
【００４５】
ところで、配線用開口部を有する天板を備えた従来のテーブルにおいて、配線用開口部の下方には配線受け部材が配置されることが多い。そこで、本実施形態では、このような配線受け部材と中間脚３１とを同一のネジ穴６２を用いて取付可能に構成されている。
【００４６】
図７に示すように、配線受け部材５５は、下向き凸状の形態を有し、配線用開口部６の下方に配置される載置部５６と、載置部５６の前後両端部から前後外側へ斜め上向きに延びる前後一対のアーム部５７と、アーム部５７の上端から前後外向きに延びる前後一対の取付け面部５８とを備えている。左右方向に延びる板状の取付け面部５８の左右両端部位には、ネジ穴６２に対応する位置にボルト挿通穴５８ａが形成されている。図７では、配線用開口部６に下方から取り付けられる蓋体７（図１参照）の図示は省略されている。
【００４７】
配線受け部材５５は、ボルト挿通穴５８ａに下方から挿通される固定用ボルト６１がネジ穴６２に捩じ込まれることで、天板下面１ａの配線用開口部６の周囲部に固定される。本実施形態では、固定用ボルト６１は、中間脚３１の固定に使用されるものと同一のものである。ただし、ネジ穴６２に捩じ込み可能な雄ネジ部材であれば、中間脚３１の固定時と配線受け部材５５の固定時とで、雄ネジ部材を変更してもよい。
【００４８】
このように、本実施形態のテーブルは、天板下面１ａの配線用開口部６の周囲部に設けられたネジ穴６２に下方から捩じ込まれる固定用ボルト６１（雄ネジ部材の一例）によって、配線用開口部６の下方に配線受け部材５５を取付可能に構成されている。そして、配線受け部材５５に替えて、図１〜図６を参照して説明したように、中間脚３１を固定用ボルト６１によって天板下面１ａに取付可能に構成されている。
【００４９】
これにより、配線用開口部６の下方に配置される配線受け部材５５を天板下面１ａに固定するためのネジ穴６２を使用して、天板下面１ａに専用のネジ穴を形成することなく、中間脚３１を天板下面１ａに固定できる。これにより、既存のテーブルの設置場所において、天板１を加工することなく、スムーズかつ迅速に、天板１に中間脚３１を取り付けて天板１の揺れ対策を実現できる。また、既存のテーブルに対して、設計変更やネジ穴の追加に伴う製造コストの上昇を招くことなく、中間脚３１を取り付けることができる。なお、配線受け部材５５が取り付けられている既存のテーブルに中間脚３１を取り付ける場合には、取り外した配線受け部材５５を中間脚３１の内部（例えば配線受け棚３９の下方の空き空間）に保管しておくことで、配線受け部材５５の紛失を防止できる。
【００５０】
また、本実施形態において、中間脚３１は、配線器具を載置可能な配線受け部の一例としての配線受け棚３９を内部に備えている。これにより、中間脚３１に、配線用開口部６の周囲部を支持する機能と、配線器具を載置可能な配線受け機能とを持たせることができ、一般に配線用開口部６の下方に配置される配線受け部材５５を別途設ける必要がなくなるので、部品点数を少なくできる。
【００５１】
また、図５に示すように、天板下面１ａには、中間脚３１の第１外向きフランジ部３６に形成された前後一対の第１ボルト挿通穴３６ａに対応する位置に、前後一対のネジ穴６３が設けられている。ネジ穴６３は、例えば天板１上面に起立配置される机上パネル（図示省略）の取付けに使用されるものである。
【００５２】
そして、中間脚３１は、第１ボルト挿通穴３６ａに下方から挿通される固定用ボルト６１がネジ穴６３に捩じ込まれることで、天板下面１ａに固定されるようにしてもよい。この場合、中間脚３１は、第２外向きフランジ部３７の第２ボルト挿通穴３７ａに挿通される固定用ボルト６１によっても天板下面１ａに固定されることが好ましく、例えば２つの第１ボルト挿通穴３６ａに挿通される２本の固定用ボルト６１と、中間脚カバー３３側の２つの第２ボルト挿通穴３７ａに挿通される２本の固定用ボルト６１とで、天板下面１ａに固定される。
【００５３】
次に、図８〜図１０を参照しながら、第２実施形態について説明する。本実施形態において、上記第１実施形態と同様の機能を果たす部分には同じ符号を付し、それらの部分の詳細な説明は省略する。
【００５４】
本実施形態では、中間脚３１Ａは、上記第１実施形態の中間脚３１と比べて、平面視で大きく形成されている。そして、中間脚３１Ａの内部に配線受け部材５５が配置されるとともに、中間脚３１Ａと配線受け部材５５とが固定用ボルト６１によって天板下面１ａに共締めされている。
【００５５】
具体的には、中間脚３１Ａは、第１側面部３４の前後長さ及び第２側面部３５の左右長さが、上記第１実施形態の中間脚３１のものと比べて大きく形成されている。第１側面部３４の上端には第１内向きフランジ部３６Ａが形成され、第２側面部３５の上端には第２内向きフランジ部３７Ａが形成されている。第１内向きフランジ部３６Ａには、天板下面１ａのネジ穴６３に対応する位置に第１ボルト挿通穴３６ａが形成され、第２内向きフランジ部３７Ａには、ネジ穴６２に対応する位置に第２ボルト挿通穴３７ａが形成されている。
【００５６】
中間脚３１Ａの内部に配置される配線受け部材５５の構成は、図７に示した配線受け部材５５と同じである。すなわち、配線受け部材５５の取付け面部５８のボルト挿通穴５８ａの位置は、天板下面１ａのネジ穴６３の位置に対応している。本実施形態では、中間脚３１Ａの内部には、配線受け棚３９（図３〜図５参照）が設けられていない。また、左右の中間脚３１Ａの間の距離は、第１実施形態に比べて短くなっており、これに伴って、幕板部材４５の幕板主面部４６の左右長さも短くなっている。
【００５７】
図１０に示すように、中間脚３１Ａの取付時には、第２内向きフランジ部３７Ａの第２ボルト挿通穴３７ａを天板下面１ａのネジ穴６２に位置合せするとともに、第１内向きフランジ部３６Ａの第１ボルト挿通穴３６ａをネジ穴６３に位置合せして、中間脚３１Ａを天板１の下方に配置する。なお、図１０では、配線用開口部６に下方から取り付けられる蓋体７（図１等参照）の図示は省略されている。
【００５８】
続いて、配線受け部材５５を中間脚３１Ａ内部に配置し、取付け面部５８のボルト挿通穴５８ａを中間脚３１Ａの第２ボルト挿通穴３７ａに位置合せした上で、固定用ボルト６１を下方からボルト挿通穴５８ａ及び第２ボルト挿通穴３７ａを介してネジ穴６２に捩じ込む。これにより、天板下面１ａの配線用開口部６の周囲部に、配線受け部材５５及び中間脚３１Ａを共締めによって固定する。図９から分かるように、配線受け部材５５の載置部５６と中間脚３１Ａの内周面との間には、電源ケーブル等のケーブルを挿通できる十分な隙間が形成されている。
【００５９】
また、第１実施形態と同様に、連結用ボルト５１（図６参照）を左右外側から中間脚３１Ａの連結用ボルト挿通穴３４ｂを介して幕板部材４５の連結用ナット４９に捩じ込んで、中間脚３１Ａと幕板部材４５とを連結する。
【００６０】
本実施形態では、配線受け部材５５が中間脚３１Ａの内部に配置されており、中間脚３１Ａと配線受け部材５５が固定用ボルト６１によって共締めされているので、中間脚３１Ａが天板下面１ａの配線用開口部６の周囲部を支持する構成でありながら、配線用開口部６の下方に配置される配線受け部材５５に、電源タップや通信ケーブル等の配線器具を載置できる。したがって、中間脚３１Ａに、配線器具が載置される配線受け機能を設ける必要がないので、中間脚３１Ａの構成を簡素化でき、中間脚３１Ａの製造コストを低減できる。
【００６１】
また、配線受け部材５５を取り付けた既存のテーブルに中間脚３１Ａを取り付ける場合には、配線受け部材５５を中間脚３１Ａとともに天板１に取り付けるので、配線受け部材５５の保管場所を確保する必要がない。
【００６２】
次に、図１１〜図１２を参照しながら、第３実施形態について説明する。本実施形態において、上記第１実施形態と同様の機能を果たす部分には同じ符号を付し、それらの部分の詳細な説明は省略する。
【００６３】
本実施形態では、天板１Ａは、平面視で略正方形の形態を有し、天板下面１Ａａの四隅部に連結される４本の端部脚２と、天板下面１Ａａの中央部に連結される１本の中間脚３１で支持されている。天板１Ａの中央部には、配線用開口部６が設けられている。上記第１実施形態と同様に、配線用開口部６には、蓋体７が下方から取り付けられている。
【００６４】
天板下面１Ａａの配線用開口部６の周囲部には、上記第１実施形態の天板１と同様に、中間脚３１の第２外向きフランジ部３７の第２ボルト挿通穴３７ａに下方から挿通される固定用ボルト６１が捩じ込まれるネジ穴６２が設けられている。そして、中間脚３１は、固定用ボルト６１とネジ穴６２とによって、天板下面１Ａａの配線用開口部６の周囲部に取り付けられる。
【００６５】
本実施形態のテーブルは、天板１Ａを、天板下面１Ａａの縁部を支持する端部脚２に加えて、天板下面１Ａａの配線用開口部６の周囲部に連結された中間脚３１で支持しているので、天板１Ａの支持強度を向上でき、天板１Ａの横揺れを抑制できる。さらに、中間脚３１は、中空状であって、配線用開口部６と重なる位置に設けられているので、床面Ｆから立ち上げる各種ケーブルを露出させずに、中間脚３１の内部を通して配線用開口部６の直下へ最短距離で配線できる。
【００６６】
なお、第３実施形態において、中間脚３１のケーブル挿通穴３４ａ及び連結用ボルト挿通穴３４ｂ（図６等参照）は、キャップ部材等で目隠しされることが好ましい。また、第３実施形態における中間脚３１は、ケーブル挿通穴３４ａ及び連結用ボルト挿通穴３４ｂが形成されていない構成であってもよい。
【００６７】
また、第３実施形態において、中間脚３１に替えて中間脚３１Ａ及び配線受け部材５５（図８〜図１０参照）を取り付けることも可能である。
【００６８】
以上、本願発明の実施形態を説明したが、上記実施形態での材料、形状、配置、個数等は一例であり、本願発明は他にも様々に具体化できる。例えば、天板の形状は、長方形や正方形に限定されず、円形や楕円形、Ｌ形、台形などであってもよい。
【００６９】
また、中間脚の平面形状は、略矩形に限定されず、例えば六角形や台形などの他の多角形であってもよいし、円形や楕円形であってもよい。
【００７０】
また、本願発明のテーブルは、中間脚と配線受け部材とで共通のネジ穴を使用する構成に限定されない。例えば、中間脚が、天板下面に設けられた専用のネジ穴を用いて天板下面に固定される構成であってもよい。また、配線受け部材とは異なる他の部材（例えば上述のように机上パネルを取り付けるための部材）を固定するためのネジ穴を用いて、中間脚が天板下面に固定される構成であってもよい。
【符号の説明】
【００７１】
１，１Ａ  天板
１ａ，１Ａａ  天板下面
２  端部脚
６  配線用開口部
３１  中間脚
３１Ａ  中間脚
３４  第１側面部（側面部）
３９  配線受け棚（配線受け部）
４５  幕板部材
５５  配線受け部材
６１  固定用ボルト（雄ネジ部材）
６２  ネジ穴
【図１】
2020014586.tif 000003
【図２】
2020014586.tif 000004
【図３】
2020014586.tif 000005
【図４】
2020014586.tif 000006
【図５】
2020014586.tif 000007
【図６】
2020014586.tif 000008
【図７】
2020014586.tif 000009
【図８】
2020014586.tif 000010
【図９】
2020014586.tif 000011
【図１０】
2020014586.tif 000012
【図１１】
2020014586.tif 000013
【図１２】
2020014586.tif 000014